(57)【要約】      （修正有）【課題】冷暖房用シート張戸枠を既設の窓枠の室内がわにに簡単に取り付けられ炉構造とする。【解決手段】窓枠の上部鴨居部分の内側に固定用平板アルミ金属製プレート金具を付ける。本体戸枠の上部に固定用差込プレートを、下部には中央部に落とし込みピンを上下スライド自由に備えた固定用平板アルミ金属製金具を付ける。概固定用差込プレートを下方から概固定用平板アルミ金属製プレート金具に差し込んでから本体戸枠を敷居に接する間で押し込み、概落とし込みピンを下方にスライドさせて床面の穴に差し込む。【選択図】なし【特許請求の範囲】
【請求項１】
当、アルミ製［冷暖房用透明シート張戸枠］は、現在木造及び金属製窓枠等、建物に付帯する大、中、小、の窓枠（木造、アルミ製）の内側（室内側）に取付する戸枠で、別途固定金具にてスライド式に固定する。
【請求項２】
当戸枠の基準サイズは、６尺間（タテ、ヨコ＝１．８２ｍ）で、２組の骨材を（左側ボコ形骨材と右側デコ形骨材）を中央ではめ込式差し込む方法の組方で、別紙図面のとおり取付る。尚適材適所の窓枠に合わせて、戸枠を製作する。
【請求項３】
当戸枠の骨材はアルミ金属製で、構造は内部肉厚１ｍｍ、外部厚１５ｍｍ、外部幅４０ｍｍ、を標準とする。又組方は（タテ１．８２ｍ、ヨコ０．９１ｍ）の縦軸骨材２本と横軸骨材３本（３段分）を１組とし、６尺間（１．８２ｍ）を２組で１セットとする。
【請求項４】
当戸枠の窓枠えの取付方法は、現況窓枠の上部鴨江部分に接し内側に固定用平板アルミ金属製プレート金具（厚さ１ｍｍ、幅８ｍｍ、長さ４０ｍｍ）のデコ形金具を取付る。尚戸枠側の上部に別紙図面のとおり、スライド式に差込ができるようにアルミ金属製平板プレート金具を取付る。
【請求項５】
当戸枠の下部敷居部分の内側床面に添って、固定用平板アルミ金属製金具（厚さ１ｍｍ、幅８ｍｍ、長さ４０ｍｍ）を設け、その中央部分に丸穴φ５．５ｍｍを開ける、尚当プレート穴に差し込む落しピン用穴（φ５．０ｍｍ）を設け同プレート穴に落しピンを、スライド式に落して固定する。
【請求項６】
当戸枠の縦軸骨材と横軸骨材等の組方は、別紙第２図のとおり、各コーナーごとにスライド式に差込み、各４点でネジ止め固定する。
【請求項７】
現況家屋の窓枠（小窓、ランマ窓、腰窓、掃出し窓、）等すべての窓枠の内側に取付できるよう適用する。
【請求項８】
当、特許出願の名称は「冷暖房用透明シート張戸枠」一式と固定用取付金具一式とする。
【発明の詳細な説明】
【技術分野】
【０００１】この発明は現況の木造、鉄骨鉄筋コンクリート造等、大、中、小、の窓枠を含めすべての窓枠の内側（室内側）に取付する。
【背景技術】
【０００２】現在の冷暖房方法は、各自ごとに種々な方法で、冷房と暖房を別々に取付ているが、私の考案した方法では、窓枠の内側〔室内側〕に取付できる、冷暖房用透明シート張戸枠は、上部を鴨江材の横に、下部を敷居材の横に取付け共に上下にスライド式プレート金具で固定できる、又取り除く時も簡単で、上に上げるだけで取り除くことができる。
【発明の効果】
【０００３】当戸枠は２組で１セット（１．８２ｍ）ですが、片方（１組）を取り除き、他方の１組でも取付利用できる。尚当戸枠の取付は、専門業者に依頼しなくても、素人でも簡単に（女性でも）取付、又は取除くことができる。当戸枠の透明シート張作業もシートを戸枠の上に乗せて、柔らかい紐状のゴムを戸枠の溝に押し込むだけで、きれいにシートを張り固定できる。又古くなったシートは、簡単に張替えできる骨材は何年も利用できるので、安価で負担が少なく経済的です。
【図面の簡単な説明】
【０００４】第１図、第２図、第３図、第４図、第５図、で表示する。【図１】（第１図）全体側面図、取付断面図、各骨材断面図。
【図２】（第２図）本体左側骨材組方図、各横骨材断面図、固定用金具側面図。
【図３】（第３図）本体右側骨材組方図、各横骨材断面図、固定用金具側面図。
【図４】（第４図）建物の窓枠と本体上部及び下部固定金具取付の側面、断面図。
【図５】（第５図）当戸枠の透明シート張、各部分側面図と各断面図。
【符号の説明】
【０００５】（第１図）▲１▼  アルミ金属製戸枠の左側縦軸骨材。▲２▼  アルミ金属製戸枠の右側縦軸骨材。▲３▼  アルミ金属製戸枠の中央左側縦軸骨材。▲４▼  アルミ金属製戸枠の中央右側縦軸骨材。▲５▼  アルミ金属製戸枠の上段左側横軸骨材。▲６▼  アルミ金属製戸枠の下段左側横軸骨材。▲７▼  アルミ金属製戸枠の中段左側横軸小骨材。▲８▼  アルミ金属製戸枠の上段右側横軸骨材。▲９▼  アルミ金属製戸枠の下段右側横軸骨材。▲１０▼  アルミ金属製戸枠の中段右側横軸小骨材。▲１１▼  既存建物開口部窓枠、木造又は金属造り部分。▲１２▼  当戸枠全体、取付図、側面、断面図。▲１３▼  ▲１▼、の縦軸骨材断面図。▲１４▼  ▲２▼、の縦軸骨材断面図。▲１５▼  ▲３▼、の縦軸骨材断面図。▲１６▼  ▲４▼、の縦軸骨材断面図。▲１７▼  ▲５▼、の横軸骨材断面図。▲１８▼  ▲６▼、の横軸骨材断面図。▲１９▼  ▲７▼、の横軸小骨材断面図。▲２０▼  ▲８▼、の横軸骨材断面図。▲２１▼  ▲９▼、の横軸骨材断面図。▲２２▼、▲１０▼、の横軸小骨材断面図。▲２３▼、上段戸枠の固定用平板プレート金具。▲２４▼、下段戸枠の固定用丸ピン落しプレート金具。（第２図）▲２５▼、（１）と（５）の左側上段角の骨材組立図（差込、ビス止め）▲２６▼、（３）と（５）の左側上段角の骨材組立図（差込、ビス止め）▲２７▼、上段左側（５）の横軸骨材断面図。▲２８▼、（１）と（７）の左側  中段角の骨材組立図（差込、ビス止め）▲２９▼、（３）と（７）の左側中段角の骨材組立図（差込、ビス止め）▲３０▼、中段左側（７）の横軸小骨材断面図。▲３１▼、（１）と（６）の左側下段角の骨材組立図（差込、ビス止め）▲３２▼、（３）と（６）の左側下段角の骨材組立図（差込、ビス止め）▲３３▼、下段左側（６）の横軸骨材断面図。▲３４▼、上段左側（２３）の固定用差込ブレート側面図。▲３５▼、下段左側（２４）の固定用落しピンとブレート側面図。（第３図）▲３６▼  〔４〕と〔８〕の右側上段角の骨材組立図（差込、ビス止め）▲３７▼  〔２〕と〔８〕の右側上段角の骨材組立図（差込、ビス止め）▲３８▼  上段右側〔８〕の横軸骨材断面図。▲３９▼  〔４〕と〔１０〕の右側中段角の骨材組立図（差込、ビス止め）▲４０▼  〔２〕と〔１０〕の右側中段角の骨材組立図（差込、ビス止め）▲４１▼  中段右側〔１０〕の横軸小骨材断面図。▲４２▼  〔４〕と〔９〕の右側下段角の骨材組立図（差込、ビス止め）▲４３▼  〔２〕と〔９〕の右側下段角の骨材組立図（差込、ビス止め）▲４４▼  下段右側〔９〕の横軸骨材断面図。（第４図）▲４５▼、戸枠を窓枠の鴨江材横に取付る、固定用金具▲２３▼と▲３４▼の（側面、断面図）。（各戸枠共通）。▲４６▼、戸枠を窓枠の敷居材横に取付る、固定用金具▲２４▼と▲３５▼の（側面、断面図）。（各戸枠共通）。（第５図）▲４７▼、戸枠左側上段の透明シート張部分、見取図、断面図。▲４８▼、戸枠左側下段の透明シート張部分、見取図、断面図。          各戸枠のシート張方法共通。▲４９▼、縦軸骨材の透明シート張断面図、各戸枠のシート張方法も共通。
【図１】
2013147918.tif 000002
【図２】
2013147918.tif 000003
【図３】
2013147918.tif 000004
【図４】
2013147918.tif 000005
【図５】
2013147918.tif 000006